【手続補正書】
【提出日】平成31年3月18日(2019.3.18)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
ユーザ機器（ＵＥ）におけるフレームのためのフレーム・フォーマット・インジケータを受信することと、ここにおいて、前記インジケータは、コンテンション・ベースのキャリアに関わる最小限のダウンリンク送信期間を特定する、
前記フレームのダウンリンク部分を受信することと、
を備える、方法。
【請求項２】
前記ダウンリンク送信期間の間に、次のアップリンク送信期間の第２のインジケータを非同期的に受信することをさらに備える、請求項１に記載の方法。
【請求項３】
前記第２のインジケータまたは前記インジケータの少なくとも１つは、ダウンリンク制御情報（ＤＣＩ）において受信される、請求項２に記載の方法。
【請求項４】
前記最小限のダウンリンク送信期間の終了の前に前記コンテンション・ベースのキャリアに関わる前記ＵＥにおいてアップリンク・グラントを受信することと、ここにおいて、前記アップリンク・グラントは、前記ＵＥに割り当てられた少なくとも１つのアップリンク・リソースを特定し、前記少なくとも１つのアップリンク・リソースは、少なくとも１つのアップリンク・サブフレームにある、
前記アップリンク・グラントにしたがって前記少なくとも１つのアップリンク・リソースにおいて送信することと、
をさらに備える、請求項１に記載の方法。
【請求項５】
前記少なくとも１つのアップリンク・サブフレームの後にダウンリンク・チャネル使用ビーコン信号（ＣＵＢＳ）をモニタすることをさらに備える、請求項４に記載の方法。
【請求項６】
前記フレームの前記ダウンリンク部分の後にダウンリンク・チャネル使用ビーコン信号（ＣＵＢＳ）をモニタすることをさらに備える、請求項１に記載の方法。
【請求項７】
前記ＵＥが前記ダウンリンク部分の終了の前にアップリンク・グラントを受信しない場合に、前記ダウンリンク部分のダウンリンク・サブフレームの後に、および、
前記ＵＥが前記ダウンリンク・サブフレームの終了の前に前記アップリンク・グラントを受信する場合に、前記フレームの少なくとも１つのアップリンク・サブフレームの後に、チャネル使用ビーコン信号（ＣＵＢＳ）をモニタすることと、ここにおいて、前記アップリンク・グラントは、前記少なくとも１つのアップリンク・サブフレームを特定する、
をさらに備える、請求項１に記載の方法。
【請求項８】
ワイヤレス通信のための装置であって、
ユーザ機器（ＵＥ）におけるフレームのためのフレーム・フォーマット・インジケータを受信するための手段と、ここにおいて、前記インジケータは、コンテンション・ベースのキャリアに関わる最小限のダウンリンク送信期間を特定する、
前記フレームのダウンリンク部分を受信するための手段と、
を備える、装置。
【請求項９】
非同期に受信するための前記手段は、前記ダウンリンク送信期間の間に、次のアップリンク送信期間の第２のインジケータを受信する、請求項８に記載の装置。
【請求項１０】
前記最小限のダウンリンク送信期間の終了の前に前記コンテンション・ベースのキャリアに関わる前記ＵＥにおいてアップリンク・グラントを受信するための手段と、ここにおいて、前記アップリンク・グラントは、前記ＵＥに割り当てられた少なくとも１つのアップリンク・リソースを特定し、前記少なくとも１つのアップリンク・リソースは、少なくとも１つのアップリンク・サブフレームにある、
前記アップリンク・グラントにしたがって前記少なくとも１つのアップリンク・リソースにおいて送信するための手段と、
をさらに備える、請求項８に記載の装置。
【請求項１１】
ダウンリンク・チャネル使用ビーコン信号（Ｄ−ＣＵＢＳ）をモニタするための手段をさらに備え、ここにおいて、モニタするための前記手段は、
前記ＵＥが前記ダウンリンク部分の終了の前にアップリンク・グラントを受信しない場合に、前記ダウンリンク部分の前記ダウンリンク・サブフレームの後に、および、
前記ＵＥが前記ダウンリンク・サブフレームの終了の前に前記アップリンク・グラントを受信する場合に、前記フレームの少なくとも１つのアップリンク・サブフレームの後に、前記Ｄ−ＣＵＢＳをモニタするように構成されている、ここにおいて、前記アップリンク・グラントは、前記少なくとも１つのアップリンク・サブフレームを特定する、
をさらに備える、請求項１０に記載の装置。
【請求項１２】
コンピュータシステムがコンピュータプログラムを実行したとき、請求項１乃至７の方法のステップのうちのいずれかを、前記コンピュータシステムに行わせるための命令を備える、コンピュータプログラム。
【請求項１３】
ワイヤレス通信の方法であって、
フレームのためのフレーム・フォーマット・インジケータを送信することと、ここにおいて、前記フレーム・フォーマット・インジケータは、コンテンション・ベースのキャリアに関わる最小限のダウンリンク送信期間を特定する、
前記フレームのダウンリンク部分を送信することと、
を備える、方法。
【請求項１４】
ワイヤレス通信のための装置であって、
フレームのためのフレーム・フォーマット・インジケータを送信することと、ここにおいて、前記フレーム・フォーマット・インジケータは、コンテンション・ベースのキャリアに関わる最小限のダウンリンク送信期間を特定する、前記フレームのダウンリンク部分を送信することと、を行うための手段
を備える、装置。
【請求項１５】
コンピュータシステムがコンピュータプログラムを実行したとき、請求項１３の方法のステップのうちのいずれかを、前記コンピュータシステムに行わせるための命令を備える、コンピュータプログラム。
【手続補正２】
【補正対象書類名】明細書
【補正対象項目名】０１９０
【補正方法】変更
【補正の内容】
【０１９０】
[00212]  本開示の先の説明は、当業者が本開示を製造または使用することを可能にするために提供される。本開示に対するさまざまな修正は、当業者に容易に明らかであり、本書に定義されている包括的な原理は、本開示の精神または範囲から逸脱せずに、他のバリエーションに適用され得る。かくして、本開示は、本書において説明された例および設計に限定されるよう意図されず、本書で開示された原理および新規の特徴と一致する最も幅広い範囲が付与されるべきである。
以下に本願の出願当初の特許請求の範囲に記載された発明を付記する。
［Ｃ１］
ワイヤレス通信の方法であって、
ユーザ機器（ＵＥ）におけるフレームのためのフレーム・フォーマット・インジケータを受信することと、ここにおいて、前記インジケータは、コンテンション・ベースのキャリアに関わる最小限のダウンリンク送信期間を特定する、
前記フレームのダウンリンク部分を受信することと、を備える、方法。
［Ｃ２］
前記インジケータは、前記最小限のダウンリンク送信期間に関わるサブフレームの数をシグナリングする、Ｃ１に記載の方法。
［Ｃ３］
前記ダウンリンク送信期間の間に、次のアップリンク送信期間の第２のインジケータを非同期的に受信することをさらに備える、Ｃ１に記載の方法。
［Ｃ４］
前記第２のインジケータまたは前記インジケータの少なくとも１つは、ダウンリンク制御情報（ＤＣＩ）において受信される、Ｃ３に記載の方法。
［Ｃ５］
前記最小限のダウンリンク送信期間の終了の前に前記コンテンション・ベースのキャリアに関わる前記ＵＥにおいてアップリンク・グラントを受信することと、ここにおいて、前記アップリンク・グラントは、前記ＵＥに割り当てられた少なくとも１つのアップリンク・リソースを特定し、前記少なくとも１つのアップリンク・リソースは、少なくとも１つのアップリンク・サブフレームにある、
前記アップリンク・グラントにしたがって前記少なくとも１つのアップリンク・リソースにおいて送信することと、をさらに備える、Ｃ１に記載の方法。
［Ｃ６］
前記少なくとも１つのアップリンク・サブフレームの後にダウンリンク・チャネル使用ビーコン信号（ＣＵＢＳ）をモニタすることをさらに備える、Ｃ５に記載の方法。
［Ｃ７］
前記アップリンク・グラントは、前記コンテンション・ベースのキャリアまたは非コンテンション・キャリアのうちの１つにおいて受信される、Ｃ５に記載の方法。
［Ｃ８］
前記フレームの前記ダウンリンク部分の後にダウンリンク・チャネル使用ビーコン信号（ＣＵＢＳ）をモニタすることをさらに備える、Ｃ１に記載の方法。
［Ｃ９］
前記ＵＥが前記ダウンリンク部分の終了の前にアップリンク・グラントを受信しない場合に、前記ダウンリンク部分のダウンリンク・サブフレームの後に、および、
前記ＵＥが前記ダウンリンク・サブフレームの終了の前に前記アップリンク・グラントを受信する場合に、前記フレームの少なくとも１つのアップリンク・サブフレームの後に、チャネル使用ビーコン信号（ＣＵＢＳ）をモニタすることと、をさらに備える、Ｃ１に記載の方法。
［Ｃ１０］
ワイヤレス通信のための装置であって、
ユーザ機器（ＵＥ）におけるフレームのためのフレーム・フォーマット・インジケータを受信するための手段と、ここにおいて、前記インジケータは、コンテンション・ベースのキャリアに関わる最小限のダウンリンク送信期間を特定する、
前記フレームのダウンリンク部分を受信するための手段と、を備える、装置。
［Ｃ１１］
前記インジケータは、前記最小限のダウンリンク送信期間に関わるサブフレームの数をシグナリングする、Ｃ１０に記載の装置。
［Ｃ１２］
非同期に受信するための前記手段は、前記ダウンリンク送信期間の間に、次のアップリンク送信期間の第２のインジケータを受信する、Ｃ１０に記載の装置。
［Ｃ１３］
前記第２のインジケータまたは前記インジケータの少なくとも１つは、ダウンリンク制御情報（ＤＣＩ）において受信される、Ｃ１２に記載の装置。
［Ｃ１４］
前記最小限のダウンリンク送信期間の終了の前に前記コンテンション・ベースのキャリアに関わる前記ＵＥにおいてアップリンク・グラントを受信するための手段と、ここにおいて、前記アップリンク・グラントは、前記ＵＥに割り当てられた少なくとも１つのアップリンク・リソースを特定し、前記少なくとも１つのアップリンク・リソースは、少なくとも１つのアップリンク・サブフレームにある、
前記アップリンク・グラントにしたがって前記少なくとも１つのアップリンク・リソースにおいて送信するための手段と、をさらに備える、Ｃ１０に記載の装置。
［Ｃ１５］
ダウンリンク・チャネル使用ビーコン信号（Ｄ−ＣＵＢＳ）をモニタするための手段をさらに備え、ここにおいて、モニタするための前記手段は、
前記ＵＥが前記ダウンリンク部分の終了の前にアップリンク・グラントを受信しない場合に、前記ダウンリンク部分の前記ダウンリンク・サブフレームの後に、および、
前記ＵＥが前記ダウンリンク・サブフレームの終了の前に前記アップリンク・グラントを受信する場合に、前記フレームの少なくとも１つのアップリンク・サブフレームの後に、前記Ｄ−ＣＵＢＳをモニタするように構成されている、ここにおいて、前記アップリンク・グラントは、前記少なくとも１つのアップリンク・サブフレームを特定する、Ｃ１４に記載の装置。
［Ｃ１６］
ワイヤレス通信のための装置であって、
メモリと、
前記メモリに結合され、
ユーザ機器（ＵＥ）におけるフレームのためのフレーム・フォーマット・インジケータと、ここにおいて、前記インジケータは、コンテンション・ベースのキャリアに関わる最小限のダウンリンク送信期間を特定する、
前記フレームのダウンリンク部分を受信することと、を行うように構成されている少なくとも１つのプロセッサと、備える、装置。
［Ｃ１７］
前記インジケータは、前記最小限のダウンリンク送信期間に関わるサブフレームの数をシグナリングする、Ｃ１６に記載の装置。
［Ｃ１８］
前記少なくとも１つのプロセッサは、前記ダウンリンク送信期間の間に、次のアップリンク送信期間の第２のインジケータを非同期に受信するようにさらに構成されている、Ｃ１６に記載の装置。
［Ｃ１９］
前記第２のインジケータまたは前記インジケータの少なくとも１つは、ダウンリンク制御情報（ＤＣＩ）において受信される、Ｃ１８に記載の装置。
［Ｃ２０］
前記少なくとも１つのプロセッサは、
前記最小限のダウンリンク送信期間の終了の前に前記コンテンション・ベースのキャリアに関わる前記ＵＥにおけるアップリンク・グラントと、ここにおいて、前記アップリンク・グラントは、前記ＵＥに割り当てられた少なくとも１つのアップリンク・リソースを特定し、前記少なくとも１つのアップリンク・リソースは、少なくとも１つのアップリンク・サブフレームにある、
前記アップリンク・グラントにしたがって前記少なくとも１つのアップリンク・リソースにおいて送信することと、を行うようにさらに構成されている、Ｃ１６に記載の装置。
［Ｃ２１］
前記少なくとも１つのプロセッサは、
前記ＵＥが前記ダウンリンク部分の終了の前にアップリンク・グラントを受信しない場合に、前記ダウンリンク部分の前記ダウンリンク・サブフレームの後に、および、
前記ＵＥが前記ダウンリンク・サブフレームの終了の前に前記アップリンク・グラントを受信する場合に、前記フレームの少なくとも１つのアップリンク・サブフレームの後に、ダウンリンク・チャネル使用ビーコン信号（Ｄ−ＣＵＢＳ）をモニタするようにさらに構成されており、ここにおいて、前記アップリンク・グラントは、前記少なくとも１つのアップリンク・サブフレームを特定する、Ｃ２０に記載の装置。
［Ｃ２２］
ワイヤレス通信のためのコンピュータ実行可能コードを記憶するコンピュータ可読媒体であって、
ユーザ機器（ＵＥ）におけるフレームのためのフレーム・フォーマット・インジケータを受信することと、ここにおいて、前記インジケータは、コンテンション・ベースのキャリアに関わる最小限のダウンリンク送信期間を特定する、
前記フレームのダウンリンク部分を受信することと、を行うためのコードを備える、コンピュータ可読媒体。
［Ｃ２３］
前記インジケータは、前記最小限のダウンリンク送信期間に関わるサブフレームの数をシグナリングする、Ｃ２２に記載のコンピュータ可読媒体。
［Ｃ２４］
前記ダウンリンク送信期間の間に、次のアップリンク送信期間の第２のインジケータを非同期に受信するためのコードをさらに備える、Ｃ２２に記載のコンピュータ可読媒体。
［Ｃ２５］
前記第２のインジケータまたは前記インジケータの少なくとも１つは、ダウンリンク制御情報（ＤＣＩ）において受信される、Ｃ２４に記載のコンピュータ可読媒体。
［Ｃ２６］
前記最小限のダウンリンク送信期間の終了の前に前記コンテンション・ベースのキャリアに関わる前記ＵＥにおいてアップリンク・グラントを受信することと、ここにおいて、前記アップリンク・グラントは、前記ＵＥに割り当てられた少なくとも１つのアップリンク・リソースを特定し、前記少なくとも１つのアップリンク・リソースは、少なくとも１つのアップリンク・サブフレームにある、
前記アップリンク・グラントにしたがって前記少なくとも１つのアップリンク・リソースにおいて送信することと、を行うためのコードをさらに備える、Ｃ２２に記載のコンピュータ可読媒体。
［Ｃ２７］
前記ＵＥが前記ダウンリンク部分の終了の前にアップリンク・グラントを受信しない場合に、前記ダウンリンク部分の前記ダウンリンク・サブフレームの後に、および、
前記ＵＥが前記ダウンリンク・サブフレームの終了の前に前記アップリンク・グラントを受信する場合に、前記フレームの少なくとも１つのアップリンク・サブフレームの後に、ダウンリンク・チャネル使用ビーコン信号（Ｄ−ＣＵＢＳ）をモニタすることを行うためのコードをさらに備え、ここにおいて、前記アップリンク・グラントは、前記少なくとも１つのアップリンク・サブフレームを特定する、Ｃ２６に記載のコンピュータ可読媒体。
［Ｃ２８］
ワイヤレス通信の方法であって、
ユーザ機器（ＵＥ）において仮のグラント・アップリンク（ＵＬ）割り当てを受信することと、
前記仮のグラントＵＬ割り当てに基づいて、セカンダリ・コンポーネント・キャリア（ＳＣＣ）においてクリア・チャネル・アセスメント（ＣＣＡ）動作を実施することと、前記ＳＣＣは、コンテンション・ベースのキャリアである、
前記ＣＣＡ動作が成功する場合に前記ＳＣＣにおいてスケジュール要求（ＳＲ）を送信することと、
前記ＳＲに応答して前記ＳＣＣにおいてグラント承認を受信することと、
前記グラント承認を受信した後に前記ＳＣＣにおいてデータを送信することと、を備える、方法。
［Ｃ２９］
前記ＳＲは、シグネチャ・シーケンスを備え、前記グラント承認は、同じ前記シグネチャ・シーケンスを備える、Ｃ２８に記載の方法。
［Ｃ３０］
前記グラント承認は、前記ＣＣＡ動作から離間されている、Ｃ２８に記載の方法。
［Ｃ３１］
前記仮のグラントＵＬ割り当ておよび前記グラント承認は、コンテンション・ベースのキャリアにおいて受信される、Ｃ２８に記載の方法。
［Ｃ３２］
前記仮のグラントＵＬ割り当ては、非コンテンション・キャリアにおいて受信される、Ｃ２８に記載の方法。
［Ｃ３３］
ワイヤレス通信のための装置であって、
ユーザ機器（ＵＥ）において仮のグラント・アップリンク（ＵＬ）割り当てを受信するための手段と、
前記仮のグラントＵＬ割り当てに基づいて、セカンダリ・コンポーネント・キャリア（ＳＣＣ）においてクリア・チャネル・アセスメント（ＣＣＡ）動作を実施するための手段と、前記ＳＣＣは、コンテンション・ベースのキャリアである、
前記ＣＣＡ動作が成功する場合に前記ＳＣＣにおいてスケジュール要求（ＳＲ）を送信するための手段と、
前記ＳＲに応答して前記ＳＣＣにおいてグラント承認を受信するための手段と、
前記グラント承認を受信した後に前記ＳＣＣにおいてデータを送信するための手段と、を備える、装置。
［Ｃ３４］
前記ＳＲは、シグネチャ・シーケンスを備え、前記グラント承認は、同じ前記シグネチャ・シーケンスを備える、Ｃ３３に記載の装置。
［Ｃ３５］
ワイヤレス通信のための装置であって、
メモリと、
前記メモリに結合され、
ユーザ機器（ＵＥ）において仮のグラント・アップリンク（ＵＬ）割り当てを受信することと、
前記仮のグラントＵＬ割り当てに基づいて、セカンダリ・コンポーネント・キャリア（ＳＣＣ）においてクリア・チャネル・アセスメント（ＣＣＡ）動作を実施することと、前記ＳＣＣは、コンテンション・ベースのキャリアである、
前記ＣＣＡ動作が成功する場合に前記ＳＣＣにおいてスケジュール要求（ＳＲ）を送信することと、
前記ＳＲに応答して前記ＳＣＣにおいてグラント承認を受信することと、
前記グラント承認を受信した後に前記ＳＣＣにおいてデータを送信することと、を行うように構成されている、少なくとも１つのプロセッサと、を備える、装置。
［Ｃ３６］
前記ＳＲは、シグネチャ・シーケンスを備え、前記グラント承認は、同じ前記シグネチャ・シーケンスを備える、Ｃ３５に記載の装置。
［Ｃ３７］
ワイヤレス通信のためのコンピュータ実行可能コードを記憶するコンピュータ可読媒体であって、
ユーザ機器（ＵＥ）において仮のグラント・アップリンク（ＵＬ）割り当てを受信することと、
前記仮のグラントＵＬ割り当てに基づいて、セカンダリ・コンポーネント・キャリア（ＳＣＣ）においてクリア・チャネル・アセスメント（ＣＣＡ）動作を実施することと、前記ＳＣＣは、コンテンション・ベースのキャリアである、
前記ＣＣＡ動作が成功する場合に前記ＳＣＣにおいてスケジュール要求（ＳＲ）を送信することと、
前記ＳＲに応答して前記ＳＣＣにおいてグラント承認を受信することと、
前記グラント承認を受信した後に前記ＳＣＣにおいてデータを送信することと、を行うためのコードを備える、コンピュータ可読媒体。
［Ｃ３８］
前記ＳＲは、シグネチャ・シーケンスを備え、前記グラント承認は、同じ前記シグネチャ・シーケンスを備える、Ｃ３７に記載のコンピュータ可読媒体。
［Ｃ３９］
ワイヤレス通信の方法であって、
フレームのためのフレーム・フォーマット・インジケータを送信することと、ここにおいて、前記フレーム・フォーマット・インジケータは、コンテンション・ベースのキャリアに関わる最小限のダウンリンク送信期間を特定する、
前記フレームのダウンリンク部分を送信することと、を備える、方法。
［Ｃ４０］
前記ダウンリンク部分の終了の前に前記コンテンション・ベースのキャリアに関わるユーザ機器（ＵＥ）にアップリンク・グラントを送信することと、ここにおいて、前記アップリンク・グラントは、前記ＵＥに割り当てられた少なくとも１つのアップリンク・リソースを特定し、前記少なくとも１つのアップリンク・リソースは、少なくとも１つのアップリンク・サブフレームにある、
前記アップリンク・グラントにしたがって前記少なくとも１つのアップリンク・リソースにおいてデータ送信を受信することと、を備える、Ｃ３９に記載の方法。
［Ｃ４１］
前記アップリンク・グラントは、前記コンテンション・ベースのキャリアまたは非コンテンション・キャリアのうちの１つにおいて送信される、Ｃ４０に記載の方法。
［Ｃ４２］
ワイヤレス通信のための装置であって、
フレームのためのフレーム・フォーマット・インジケータを送信することと、ここにおいて、前記フレーム・フォーマット・インジケータは、コンテンション・ベースのキャリアに関わる最小限のダウンリンク送信期間を特定する、前記フレームのダウンリンク部分を送信することと、を行うための手段を備える、装置。
［Ｃ４３］
前記送信するための手段は、前記ダウンリンク部分の終了の前に前記コンテンション・ベースのキャリアに関わるユーザ機器（ＵＥ）にアップリンク・グラントを送信し、ここにおいて、前記アップリンク・グラントは、前記ＵＥに割り当てられた少なくとも１つのアップリンク・リソースを特定し、前記少なくとも１つのアップリンク・リソースは、少なくとも１つのアップリンク・サブフレームにある、前記装置はさらに、
前記アップリンク・グラントにしたがって前記アップリンク・リソースにおいてデータ送信を受信するための手段を備える、Ｃ４２に記載の装置。
［Ｃ４４］
ワイヤレス通信のための装置であって、
メモリと、
前記メモリに結合され、
フレームのためのフレーム・フォーマット・インジケータを送信することと、ここにおいて、前記フレーム・フォーマット・インジケータは、コンテンション・ベースのキャリアに関わる最小限のダウンリンク送信期間を特定する、
前記フレームのダウンリンク部分を送信することと、を行うように構成されている少なくとも１つのプロセッサと、を備える、装置。
［Ｃ４５］
前記少なくとも１つのプロセッサは、
前記ダウンリンク部分の終了の前に前記コンテンション・ベースのキャリアに関わるユーザ機器（ＵＥ）にアップリンク・グラントを送信することと、ここにおいて、前記アップリンク・グラントは、前記ＵＥに割り当てられた少なくとも１つのアップリンク・リソースを特定し、前記少なくとも１つのアップリンク・リソースは、少なくとも１つのアップリンク・サブフレームにある、
前記アップリンク・グラントにしたがって前記アップリンク・リソースにおいてデータ送信を受信することをさらに構成されている、Ｃ４４に記載の装置。
［Ｃ４６］
ワイヤレス通信のためのコンピュータ実行可能コードを記憶するコンピュータ可読媒体であって、
フレームのためのフレーム・フォーマット・インジケータを送信することと、ここにおいて、前記フレーム・フォーマット・インジケータは、コンテンション・ベースのキャリアに関わる最小限のダウンリンク送信期間を特定する、
前記フレームのダウンリンク部分を送信することと、を行うためのコードを備える、コンピュータ可読媒体。
［Ｃ４７］
前記ダウンリンク部分の終了の前に前記コンテンション・ベースのキャリアに関わるユーザ機器（ＵＥ）にアップリンク・グラントを送信することと、ここにおいて、前記アップリンク・グラントは、前記ＵＥに割り当てられた少なくとも１つのアップリンク・リソースを特定し、前記少なくとも１つのアップリンク・リソースは、少なくとも１つのアップリンク・サブフレームにある、
前記アップリンク・グラントにしたがって前記アップリンク・リソースにおいてデータ送信を受信することと、を行うためのコードをさらに備える、Ｃ４６に記載のコンピュータ可読媒体。
［Ｃ４８］
ワイヤレス通信の方法であって、
ユーザ機器（ＵＥ）のセットに仮のグラント・アップリンク（ＵＬ）割り当てを送信することと、前記セットは、１つまたは複数のＵＥを含む、
セカンダリ・コンポーネント・キャリア（ＳＣＣ）において１つまたは複数のスケジュール要求（ＳＲ）を検出することと、前記ＳＣＣは、１つまたは複数の仮のグラントＵＬ割り当て送信に応答して、コンテンション・ベースのキャリアである、
前記検出された１つまたは複数のＳＲに応答して、前記ＳＣＣにおいて１つまたは複数のグラント承認を送信することと、を備える、方法。
［Ｃ４９］
各ＳＲは、固有のシグネチャ・シーケンスを備え、
前記１つまたは複数のグラント承認の各々は、選択されたＵＥに対応するシグネチャ・シーケンスを備える、Ｃ４８に記載の方法。
［Ｃ５０］
前記グラント承認は、前記ＳＲから離間されている、Ｃ４８に記載の方法。
［Ｃ５１］
前記仮のグラントＵＬ割り当ておよび前記グラント承認は、コンテンション・ベースのキャリアにおいて送信される、Ｃ４８に記載の方法。
［Ｃ５２］
前記仮のグラントＵＬ割り当ては、非コンテンション・キャリアにおいて送信される、Ｃ４８に記載の方法。
［Ｃ５３］
ワイヤレス通信のための装置であって、
ユーザ機器（ＵＥ）のセットに仮のグラント・アップリンク（ＵＬ）割り当てを送信するための手段と、前記セットは、１つまたは複数のＵＥを含む、
１つまたは複数の仮のグラントＵＬ割り当て送信に応答して、コンテンション・ベースのキャリアであるセカンダリ・コンポーネント・キャリア（ＳＣＣ）において１つまたは複数のスケジュール要求（ＳＲ）を検出するための手段と、
前記検出された１つまたは複数のＳＲに応答して、前記ＳＣＣにおいて１つまたは複数のグラント承認を送信するための手段と、を備える、装置。
［Ｃ５４］
各ＳＲは、固有のシグネチャ・シーケンスを備え、
前記１つまたは複数のグラント承認の各々は、選択されたＵＥに対応するシグネチャ・シーケンスを備える、Ｃ５３に記載の装置。
［Ｃ５５］
前記グラント承認は、前記ＳＲから離間されている、Ｃ５３に記載の装置。
［Ｃ５６］
ワイヤレス通信のための装置であって、
メモリと、
前記メモリに結合され、
ユーザ機器（ＵＥ）のセットに仮のグラント・アップリンク（ＵＬ）割り当てを送信することと、前記セットは、１つまたは複数のＵＥを含む、
前記ＳＣＣは、１つまたは複数の仮のグラントＵＬ割り当て送信に応答して、コンテンション・ベースのキャリアであるセカンダリ・コンポーネント・キャリア（ＳＣＣ）において１つまたは複数のスケジュール要求（ＳＲ）を検出することと、
前記検出された１つまたは複数のＳＲに応答して、前記ＳＣＣにおいて１つまたは複数のグラント承認を送信することと、を行うように構成されている少なくとも１つのプロセッサと、を備える、装置。
［Ｃ５７］
各ＳＲは、固有のシグネチャ・シーケンスを備え、
前記１つまたは複数のグラント承認の各々は、選択されたＵＥに対応するシグネチャ・シーケンスを備える、Ｃ５６に記載の装置。
［Ｃ５８］
前記グラント承認は、前記ＳＲから離間されている、Ｃ５６に記載の装置。
［Ｃ５９］
ワイヤレス通信のためのコンピュータ実行可能コードを記憶するコンピュータ可読媒体であって、
ユーザ機器（ＵＥ）のセットに仮のグラント・アップリンク（ＵＬ）割り当てを送信することと、前記セットは、１つまたは複数のＵＥを含む、
１つまたは複数の仮のグラントＵＬ割り当て送信に応答して、コンテンション・ベースのキャリアであるセカンダリ・コンポーネント・キャリア（ＳＣＣ）において１つまたは複数のスケジュール要求（ＳＲ）を検出することと、
前記検出された１つまたは複数のＳＲに応答して、前記ＳＣＣにおいて１つまたは複数のグラント承認を送信することと、を行うためのコードを備える、コンピュータ可読媒体。
［Ｃ６０］
各ＳＲは、固有のシグネチャ・シーケンスを備え、
前記１つまたは複数のグラント承認の各々は、選択されたＵＥに対応するシグネチャ・シーケンスを備える、Ｃ５９に記載のコンピュータ可読媒体。
［Ｃ６１］
前記グラント承認は、前記ＳＲから離間されている、Ｃ５９に記載のコンピュータ可読媒体。